(57)【要約】【目的】データの授受を行う。【構成】第２の携帯端末21に与えたいデータは第１のデータ・サーバ１に格納されている。その格納場所を示すポインタとアクセス許可データとが，第１の携帯端末11から第１のデータ・サーバ１および第２の携帯端末21のそれぞれに送信される。第２の携帯端末11から第１のデータ・サーバ１に，ポインタとアクセス許可データが送信されると，第１のデータ・サーバ１から第２の携帯端末21にデータが送信される。第１の携帯端末11と第２の携帯端末21との間ではデータ量の少ないデータが送受信されるので，その送受信に必要な時間は短縮される。【選択図】図１
2011211546.tif 000002
【特許請求の範囲】
【請求項１】
第１のデータ・サーバと第１の携帯端末装置と第２の携帯端末装置とを含むデータ通信システムにおいて，
上記第１のデータ・サーバが，
データ格納場所を示す格納場所データと，その格納場所データによって示される格納場所に格納されているデータを受信する権限があるかどうかを確認するアクセス許可データとが対応して記憶される記憶装置を備え，
上記第１の携帯端末装置が，
上記記憶装置に記憶される格納場所データとアクセス許可データとを上記第２の携帯端末装置に送信する第１の送信手段を備え，
上記第２の携帯端末装置が，
上記第１の携帯端末装置の上記第１の送信手段から送信された格納場所データとアクセス許可データとを受信する第１の受信手段，および
上記第１の受信手段によって受信した格納場所データとアクセス許可データとを上記第１のデータ・サーバに送信する第２の送信手段を備え，
上記第１のデータ・サーバが，
上記第２の携帯端末装置の上記第２の送信手段から送信された格納場所データとアクセス許可データとを受信する第２の受信手段，
上記第２の受信手段によって受信した格納場所データとアクセス許可データとが上記記憶装置に記憶されているかどうかを判定する第１の判定手段，および
上記第１の判定手段によって，上記第２の受信手段において受信した格納場所データとアクセス許可データとが上記記憶装置に記憶されていると判定されたことに応じて，上記第２の受信手段において受信した格納場所データによって表される格納場所に格納されているデータを上記第２の携帯端末装置に送信する第３の送信手段，
を備えたデータ通信システム。
【請求項２】
上記第１のデータ・サーバまたは上記第１の携帯端末装置が，アクセス許可データの生成時刻，第１の携帯端末装置の位置を表す位置データ，格納場所データ，第１の携帯端末装置の識別データ，乱数または第２の携帯端末装置の識別データにもとづいてアクセス許可データを生成するアクセス許可データ生成手段をさらに備え，
上記第１のデータ・サーバが上記アクセス許可データ生成手段を備えている場合には，上記第１のデータ・サーバは，上記アクセス許可データ生成手段によって生成されたアクセス許可データを上記第１の携帯端末装置に送信するアクセス許可データ送信手段をさらに備えている，
請求項１に記載のデータ通信システム。
【請求項３】
上記アクセス許可データ生成手段によってアクセス許可データの生成後所定時間経過後，所定日時以後，所定日時以前，上記格納場所に格納されているデータの所定回数以上の送信，上記第２の携帯端末装置の上記第１の受信手段によりアクセス許可データを受信した位置と上記第２の携帯端末装置の第２の送信手段によりアクセス許可データを送信した位置とが一定以上離れていること，または上記第２の携帯端末装置の位置情報が得られないことに応じて，データの送信を停止するように上記第３の送信手段を制御する送信制御手段，
をさらに備えた請求項２に記載のデータ通信システム。
【請求項４】
上記第１の判定手段によって，上記第２の受信手段において受信した格納場所データとアクセス許可データとが上記記憶装置に記憶されていると判定されたことに応じて，上記第２の受信手段において受信した格納場所データによって表される格納場所に格納されているデータを，上記第２の携帯端末装置に表示可能なフォーマットまたはデータ量となるようにデータ処理するデータ処理手段をさらに備え，
上記第３の送信手段は，
上記データ処理手段によりデータ処理されたデータを上記第２の携帯端末装置に送信するものである，
請求項１から３のうち，いずれか一項に記載のデータ通信システム。
【請求項５】
上記第２の携帯端末装置の上記第２の送信手段は，
上記第２の携帯端末装置の上記第１の受信手段によって受信した格納場所データとアクセス許可データとを第２のデータ・サーバに送信するものであり，
上記第２の携帯端末装置は，
上記第２の携帯端末装置の上記第１の受信手段によって受信した格納場所データとアクセス許可データとを特定する間接特定データを所定のアルゴリズムで生成する第１の間接特定データ生成手段をさらに備え，
上記第２のデータ・サーバが，
上記第２の送信手段から送信された格納場所データとアクセス許可データとを受信する第３の受信手段，
上記第３の受信手段によって受信した格納場所データとアクセス許可データとを上記第１のデータ・サーバに送信する第４の送信手段，および
上記第２の携帯端末装置の上記第１の間接特定データ生成手段における所定のアルゴリズムと同じアルゴリズムで，上記第３の受信手段によって受信した格納場所データとアクセス許可データとを特定する間接特定データを生成する第２の間接特定データ生成手段をさらに備え，
上記第１のデータ・サーバの上記第２の受信手段は，上記第２のデータ・サーバの上記第４の送信手段から送信された格納場所データとアクセス許可データとを受信するものであり，
上記第１のデータ・サーバの上記第３の送信手段は，上記第１の判定手段によって，上記第２の受信手段において受信した格納場所データとアクセス許可データとが上記記憶装置に記憶されていると判定されたことに応じて，上記第２の受信手段において受信した可能場所データによって表される格納場所に格納されているデータを上記第２のデータ・サーバに送信するものであり，
上記第２の携帯端末装置が，
上記第１の間接特定データ生成手段によって生成された間接特定データを上記第２のデータ・サーバに送信する間接特定データ送信手段をさらに備え，
上記第２のデータ・サーバが，
上記第１のデータ・サーバの上記第３の送信手段から送信されるデータを受信する第４の受信手段，
上記第２の携帯端末装置の上記間接特定データ送信手段から送信された間接特定データを受信する間接特定データ受信手段，
上記間接特定データ受信手段において受信した間接特定データと上記第２の間接特定データ生成手段において生成された間接特定データとが一致するかどうかを判定する第２の判定手段，および
上記第２の判定手段において一致すると判定されたことに応じて，上記第４の受信手段において受信したデータを，上記第２の携帯端末装置に送信する第５の送信手段，
をさらに備えた請求項１から４のうち，いずれか一項に記載のデータ通信システム。
【請求項６】
データ格納場所を示す格納場所データと，その格納場所データによって示される格納場所に格納されているデータを受信する権限があるかどうかを確認するアクセス許可データとが対応して記憶される記憶装置，
一の携帯端末装置から送信された格納場所データとアクセス許可データとを受信するものであって，これらの格納場所データとアクセス許可データとは上記一の携帯端末装置と異なる他の携帯端末装置から上記一の携帯端末装置から送信されたものである，受信手段，
上記受信手段によって受信した格納場所データとアクセス許可データとが上記記憶装置に記憶されているかどうかを判定する判定手段，および
上記判定手段によって，上記受信手段において受信した格納場所データとアクセス許可データとが上記記憶装置に記憶されていると判定されたことに応じて，上記受信手段において受信した格納場所データによって現れる格納場所に格納されているデータを上記一の携帯端末装置に送信する送信手段，
を備えたデータ・サーバ。
【請求項７】
第１のデータ・サーバと第１の携帯端末装置と第２の携帯端末装置とを含むデータ通信システムの動作制御方法において，
上記第１のデータ・サーバの記憶装置が，データ格納場所を示す格納場所データと，その格納場所データによって示される格納場所に格納されているデータを受信する権限があるかどうかを確認するアクセス許可データとを対応して記憶し，
上記第１の携帯端末装置の第１の送信手段が，上記記憶装置に記憶されている格納場所データとアクセス許可データとを上記第２の携帯端末装置に送信し，
上記第２の携帯端末装置の第１の受信手段が，上記第１の携帯端末装置の上記第１の送信手段から送信された格納場所データとアクセス許可データとを受信し，
上記第２の携帯端末装置の第２送信手段が，上記第１の受信手段によって受信した格納場所データとアクセス許可データとを上記第１のデータ・サーバに送信し，
上記第１のデータ・サーバの第２の受信手段が，上記第２の携帯端末装置の上記第２の送信手段から送信された格納場所データとアクセス許可データとを受信し，
上記第１のデータ・サーバの判定手段が，上記第２の受信手段によって受信した格納場所データとアクセス許可データとが上記記憶装置に記憶されているかどうかを判定し，
上記第１のデータ・サーバの第３の送信手段が，上記第１の判定手段によって，上記第２の受信手段において受信した格納場所データとアクセス許可データとが上記記憶装置に記憶されていると判定されたことに応じて，上記第２の受信手段において受信した格納場所データによって表される格納場所に格納されているデータを上記第２の携帯端末装置に送信する，
データ通信システムの動作制御方法。
【請求項８】
記憶装置が，データ格納場所を示す格納場所データと，その格納場所データによって示される格納場所に格納されているデータを受信する権限があるかどうかを確認するアクセス許可データとを対応して記憶し，
受信手段が，一の携帯端末装置から送信された格納場所データとアクセス許可データとを受信し，これらの格納場所データとアクセス許可データとは上記一の携帯端末装置と異なる他の携帯端末装置から上記一の携帯端末装置から送信されたものであり，
判定手段が，上記受信手段によって受信した格納場所データとアクセス許可データとが上記記憶装置に記憶されているかどうかを判定し，
送信手段が，上記判定手段によって，上記受信手段において受信した格納場所データとアクセス許可データとが上記記憶装置に記憶されていると判定されたことに応じて，上記受信手段において受信した格納場所データによって現れる格納場所に格納されているデータを上記一の携帯端末装置に送信する，
データ・サーバの動作制御方法。
【発明の詳細な説明】
【技術分野】
【０００１】
この発明は，データ通信システム，データ・サーバおよびそれらの動作制御方法に関する。
【背景技術】
【０００２】
互いに連絡先を知らない者同士の場合，後で情報交換を行うためには，少なくとも連絡先等の情報を面会時点で授受する必要がある。この情報の授受に際し，口述と筆記の面倒さを省くために，従来慣習的に行われているのが名刺交換である。さらに最近では，名刺をスキャンすることにより名刺の情報を電子的に処理することも行われている。このような場合，その場で電子的データを授受できれば，利便性が向上する。
【０００３】
携帯電話同士で赤外線通信を行うことにより，メール・アドレス等を交換することが行われているが，処理能力や記憶容量が小さいので，データ量の多いデータ通信には時間が必要であるし，携帯電話に大容量のデータを格納することができない。
【０００４】
また，住所、氏名、電話番号といったテキスト型のデータは容量が小さいために，現在慣習的に行われている名刺交換を，携帯端末内蔵の非接触型ICカード機能を用いて電子的に行うことは，現在でも比較的容易に実現できる。しかしながら，顔画像の交換，プレゼンテーション資料の引き渡し等を行う場合には，携帯端末内にデータを用意（保存）するために手間がかかり，通信も瞬時には終了しない。さらに，送受信したデータが端末内に蓄積されるので，端末の紛失や盗難による情報漏洩の危険性がある。
【０００５】
さらに，名刺交換ツールなどもあるが（特許文献１，２），単一の管理下にある共通のサーバを介してデータの授受が行われる，双方が同一種の端末（同一形式の個体番号）を持つ必要がある，一方から他方への一方向のデータ転送においても、個体番号が常に交換される，授受可能なデータの種類（相手によらない、同一のプロファイルデータのみ）が限定される，などの問題がある。
【先行技術文献】
【特許文献】
【０００６】
【特許文献１】”ポーケンとは”，[online],アコニ株式会社，[平成22年３月15日検索]，インターネット<URL:http://poken.jp/ja/what-is-poken/>
【特許文献２】” Poken創立者が提案するソーシャル名刺交換”，[online]，朝日インタラクティブ株式会社，[平成22年３月15日検索]，インターネット<URL:http://japan.cnet.com/interview/story/0,2000055954,20390003,00.htm>
【発明の概要】
【０００７】
この発明は，データの漏洩を防止でき，不要な情報を相手方に送信しないでもデータの授受ができるようにすることを目的とする。
【０００８】
この発明は，第１のデータ・サーバと第１の携帯端末装置と第２の携帯端末装置とを含むデータ通信システムにおいて，上記第１のデータ・サーバが，データ格納場所を示す格納場所データと，その格納場所データによって示される格納場所に格納されているデータを受信する権限があるかどうかを確認するアクセス許可データとが対応して記憶される記憶装置を備え，上記第１の携帯端末装置が，上記記憶装置に記憶される格納場所データとアクセス許可データとを上記第２の携帯端末装置に送信する第１の送信手段を備え，上記第２の携帯端末装置が，上記第１の携帯端末装置の上記第１の送信手段から送信された格納場所データとアクセス許可データとを受信する第１の受信手段，および上記第１の受信手段によって受信した格納場所データとアクセス許可データとを上記第１のデータ・サーバに送信する第２の送信手段を備えている。上記第１のデータ・サーバが，さらに，上記第２の携帯端末装置の上記第２の送信手段から送信された格納場所データとアクセス許可データとを受信する第２の受信手段，上記第２の受信手段によって受信した格納場所データとアクセス許可データとが上記記憶装置に記憶されているかどうかを判定する第１の判定手段，および上記第１の判定手段によって，上記第２の受信手段において受信した格納場所データとアクセス許可データとが上記記憶装置に記憶されていると判定されたことに応じて，上記第２の受信手段において受信した格納場所データによって表される格納場所に格納されているデータを上記第２の携帯端末装置に送信する第３の送信手段を備えている。
【０００９】
この発明は，上記データ通信システムに適した動作制御方法も提供している。すなわち，第１のデータ・サーバと第１の携帯端末装置と第２の携帯端末装置とを含むデータ通信システムの動作制御方法において，上記第１のデータ・サーバの記憶装置が，データ格納場所を示す格納場所データと，その格納場所データによって示される格納場所に格納されるデータを受信する権限があるかどうかを確認するアクセス許可データとが対応して記憶し，上記第１の携帯端末装置の第１の送信手段が，上記記憶装置に記憶されている格納場所データとアクセス許可データとを上記第２の携帯端末装置に送信し，上記第２の携帯端末装置の第１の受信手段が，上記第１の携帯端末装置の上記第１の送信手段から送信された格納場所データとアクセス許可データとを受信し，上記第２の携帯端末装置の第２送信手段が，上記第１の受信手段によって受信した格納場所データとアクセス許可データとを上記第１のデータ・サーバに送信し，上記第１のデータ・サーバの第２の受信手段が，上記第２の携帯端末装置の上記第２の送信手段から送信された格納場所データとアクセス許可データとを受信し，上記第１のデータ・サーバの判定手段が，上記第２の受信手段によって受信した格納場所データとアクセス許可データとが上記記憶装置に記憶されているかどうかを判定し，上記第１のデータ・サーバの第３の送信手段が，上記第１の判定手段によって，上記第２の受信手段において受信した格納場所データとアクセス許可データとが上記記憶装置に記憶されていると判定されたことに応じて，上記第２の受信手段において受信した格納場所データによって表される格納場所に格納されているデータを上記第２の携帯端末装置に送信するものである。
【００１０】
この発明は，上記データ通信システムを構成するデータ・サーバ（第１のデータ・サーバ）およびその動作制御方法も提供している。
【００１１】
この発明によると，第１の携帯端末装置のユーザが第２の携帯端末装置のユーザに与えたいデータがある場合，第１の携帯端末装置から第２の携帯端末装置に，そのデータの格納場所を示す格納場所データとアクセス許可データとが送信される。格納場所データとアクセス許可データとが第２の携帯端末装置において受信されると，それらの格納場所データとアクセス許可データとが第２の携帯端末装置から第１のデータ・サーバに送信される。第１のデータ・サーバにおいて，格納場所データとアクセス許可データとが受信されると，受信した格納場所データとアクセス許可データとが記憶装置に記憶されているかどうかが判定される。それらの格納場所データとアクセス許可データとが記憶装置に記憶されていると，第１のデータ・サーバにアクセスした第２の携帯端末装置のユーザは正当権限を有するものと考えられる。その格納場所データによって示される格納場所に格納されているデータが第１のデータ・サーバから第２の携帯端末装置に送信される。データは第１の携帯端末装置に格納されていないので，記憶容量の少ない第１の携帯端末装置であっても，そのデータを第２の携帯端末装置に送信できる。データは第１の携帯端末装置に格納されていないので，第１の携帯端末装置の紛失等によりデータが漏洩することを未然に防止できる。さらに，第２の携帯端末装置に固有の識別データなども第１のデータ・サーバに送信する必要が無いので，第２の携帯端末装置のユーザの情報なども保護される。
【００１２】
上記第１のデータ・サーバまたは上記第１の携帯端末装置が，アクセス許可データの生成時刻，第１の携帯端末装置の位置を表す位置データ，格納場所データ，第１の携帯端末装置の識別データ，乱数または第２の携帯端末装置の識別データにもとづいてアクセス許可データを生成するアクセス許可データ生成手段をさらに備えてもよい。上記第１のデータ・サーバが上記アクセス許可データ生成手段を備えている場合には，上記第１のデータ・サーバは，上記アクセス許可データ生成手段によって生成されたアクセス許可データを上記第１の携帯端末装置に送信するアクセス許可データ送信手段をさらに備えていることとなろう。
【００１３】
上記アクセス許可データ生成手段によってアクセス許可データの生成後所定時間経過後，所定日時以後，所定日時以前，上記格納場所に格納されているデータの所定回数以上の送信，上記第２の携帯端末装置の上記第１の受信手段によりアクセス許可データを受信した位置と上記第２の携帯端末装置の第２の送信手段によりアクセス許可データを送信した位置とが一定以上離れていること，または上記第２の携帯端末装置の位置情報が得られないことに応じて，データの送信を停止するように上記第３の送信手段を制御する送信制御手段をさらに備えてもよい。
【００１４】
上記第１の判定手段によって，上記第２の受信手段において受信した格納場所データとアクセス許可データとが上記記憶装置に記憶されていると判定されたことに応じて，上記第２の受信手段において受信した格納場所データによって表される格納場所に格納されているデータを，上記第２の携帯端末装置に表示可能なフォーマットまたはデータ量となるようにデータ処理するデータ処理手段をさらに備えてもよい。この場合，上記第３の送信手段は，上記データ処理手段によりデータ処理されたデータを上記第２の携帯端末装置に送信するものとなろう。
【００１５】
上記第２の携帯端末装置の上記第２の送信手段は，たとえば，上記第２の携帯端末装置の上記第１の受信手段によって受信した格納場所データとアクセス許可データとを第２のデータ・サーバに送信するものであり，上記第２の携帯端末装置は，上記第２の携帯端末装置の上記第１の受信手段によって受信した格納場所データとアクセス許可データとを特定する間接特定データを所定のアルゴリズムで生成する第１の間接特定データ生成手段をさらに備える。
【００１６】
また，上記第２のデータ・サーバは，上記第２の送信手段から送信された格納場所データとアクセス許可データとを受信する第３の受信手段，上記第３の受信手段によって受信した格納場所データとアクセス許可データとを上記第１のデータ・サーバに送信する第４の送信手段，および上記第２の携帯端末装置の上記第１の間接特定データ生成手段における所定のアルゴリズムと同じアルゴリズムで，上記第３の受信手段によって受信した格納場所データとアクセス許可データとを特定する間接特定データを生成する第２の間接特定データ生成手段をさらに備えてもよい。
【００１７】
この場合，上記第１のデータ・サーバの上記第２の受信手段は，上記第２のデータ・サーバの上記第４の送信手段から送信された格納場所データとアクセス許可データとを受信するものであり，上記第１のデータ・サーバの上記第３の送信手段は，上記第１の判定手段によって，上記第２の受信手段において受信した格納場所データとアクセス許可データとが上記記憶装置に記憶されていると判定されたことに応じて，上記第２の受信手段において受信した可能場所データによって表される格納場所に格納されているデータを上記第２のデータ・サーバに送信するものとなろう。
【００１８】
そして，上記第２の携帯端末装置は，上記第１の間接特定データ生成手段によって生成された間接特定データを上記第２のデータ・サーバに送信する間接特定データ送信手段をさらに備え，上記第２のデータ・サーバは，上記第１のデータ・サーバの上記第３の送信手段から送信されるデータを受信する第４の受信手段，上記第２の携帯端末装置の上記間接特定データ送信手段から送信された間接特定データを受信する間接特定データ受信手段，上記間接特定データ受信手段において受信した間接特定データと上記第２の間接特定データ生成手段において生成された間接特定データとが一致するかどうかを判定する第２の判定手段，および上記第２の判定手段において一致すると判定されたことに応じて，上記第４の受信手段において受信したデータを，上記第２の携帯端末装置に送信する第５の送信手段をさらに備えてもよい。
【図面の簡単な説明】
【００１９】
【図１】データ通信システムの概要である。
【図２】第１のデータ・サーバの電気的構成を示すブロック図である。
【図３】端末リストの一例である。
【図４】データ情報テーブルの一例である。
【図５】第１の携帯端末装置の電気的構成を示すブロック図である。
【図６】第１の携帯端末装置の処理手順を示すフローチャートである。
【図７】第１のデータ・サーバの処理手順を示すフローチャートである。
【図８】第１のデータ・サーバの処理手順を示すフローチャートである。
【図９】第２の携帯端末装置の処理手順を示すフローチャートである。
【図１０】データ通信システムの概要である。
【図１１】端末リストの一例である。
【図１２】第２の携帯端末装置の処理手順を示すフローチャートである。
【図１３】第２のデータ・サーバの処理手順を示すフローチャートである。
【図１４】第２のデータ・サーバの処理手順を示すフローチャートである。
【図１５】第１のデータ・サーバの処理手順を示すフローチャートである。
【実施例】
【００２０】
図１は，この発明の実施例を示すもので，データ通信システムの概要を示している。
【００２１】
データ通信システムには，互いに通信可能な第１のデータ・サーバ１，第１の携帯端末装置11および第２の携帯端末装置21が含まれている。第１のデータ・サーバ１と第１の携帯端末装置11との間の通信，および第１のデータ・サーバ１と第２の携帯端末装置21との間の通信は，それぞれインターネットを介して行われることが一般的であるが，その他の通信網を利用してもよい。また，第１の携帯端末装置11と第２の携帯端末装置21との間の通信は，装置同士を近づけて赤外線が利用されるが，その他の通信を利用してもよい。
【００２２】
第１の携帯端末装置11および第２の携帯端末装置21は，たとえば，携帯電話，ＰＤＡ（Personal Digital Assistant），いわゆるポケットＰＣ（Personal Computer）などの携帯可能な小型コンピュータなどである。図１においては，２つの携帯端末装置11および21が図示されているが，多数の携帯端末装置が第１のデータ・サーバ１にアクセスできるのはいうまでもない。
【００２３】
この実施例は，第１の携帯端末装置11のユーザが，第２の携帯端末装置21のユーザに所望のデータを与えるものである。第２の携帯端末装置21のユーザに与えられるデータはテキスト・データ，プレゼンテーション用の資料を表すデータ，顔画像などの静止画像データ，動画データ，音声データなどいずれでもよい。
【００２４】
図２は，第１のデータ・サーバ１の電気的構成を示すブロック図である。
【００２５】
第１のデータ・サーバ１の全体の動作は，ＣＰＵ２によって統括される。
【００２６】
第１のデータ・サーバ１には，多数のデータが格納されているハードディスク（データベース）８が含まれている。このハードディスク８にデータを書き込む，あるいはハードディスク８からデータを読み取るハードディスク・ドライブ７が第１のデータ・サーバ１に含まれている。
【００２７】
また，第１のデータ・サーバ１には，第１の携帯端末装置11および第２の携帯端末装置21と通信するための通信装置３が含まれている。さらに，第１のデータ・サーバ１には計時のためのタイマ４，キーボードなどの入力装置５および動作プログラム，所定のデータなどを記憶するメモリ６も含まれている。
【００２８】
図３は，第１のデータ・サーバ１のメモリ６に記憶されている端末リストの一例である。
【００２９】
端末リストは，データを送信するユーザが利用できる携帯端末装置をあらかじめ登録するものである。この実施例の場合，第１の携帯端末装置11のユーザが第２の携帯端末装置21のユーザにデータを送信するから，第１の携帯端末装置11の識別データ（装置に固有な端末製造番号，回線契約に紐付けられた番号，その他装置内にユーザが書き換え不能に書き込まれた識別符号，識別番号）が端末リストに登録されている。データが与えられる第２の携帯端末装置21の識別データは端末リストに登録されている必要はない。
【００３０】
図４は，第１のデータ・サーバ１のメモリ６に記憶されるデータ情報テーブルの一例である。
【００３１】
データ情報テーブルは，第１のデータ・サーバ１から送信されるデータについての情報を格納するものである。データ情報テーブルには，アクセス許可データ，ポインタ（格納場所データ），格納日時，付与側携帯端末装置の位置および制限情報が格納されている。ポインタは，データの格納場所を示すもので，たとえば，ＵＲＬ（Uniform Resource Locator）が利用される。もっとも，ＵＲＬが直接に第１のデータ・サーバ１のディレクトリ構造を反映している必要はなく，アクセス許可データを含むものでもよい。アクセス許可データは，ポインタによって特定される格納場所に格納されているデータを送信するときの認証情報として利用されるものである。これらのアクセス許可データおよびポインタは，データを付与しようとするユーザの携帯端末装置（第１の携帯端末装置11）から送信される。もっとも，逆に第１のデータ・サーバ１から，データを付与しようとするユーザの携帯端末装置（第１の携帯端末装置11）に送信してもよい。
【００３２】
格納日時は，データの格納日時である。付与側携帯端末装置の位置は，後述するように，データを与えようとしているユーザの携帯端末装置（第１の携帯端末装置11）がアクセス許可データおよびポインタを第１のデータ・サーバ１に送信されたときの，その携帯端末装置の位置である。その携帯端末装置から位置を表すデータが第１のデータ・サーバ１に送信されるのはいうまでもない。制限は，データを与える制限についての情報である。制限には，位置制限，時間制限などがある。位置制限は，上述したように，付与側携帯端末装置の位置から所定の範囲内の位置にある携帯端末装置からデータの要求があった場合に，そのデータを送信し，その所定の範囲外の位置にある携帯端末装置からのデータの要求があった場合にはデータを送信しないようにするものである。たとえば，付与側の携帯端末装置とデータを付与される側の携帯端末装置とが，共通の建物の中にある場合にのみデータを付与できるようにすることができる。また，時間制限は，格納日時から一定日時以内にデータの要求があった場合に，そのデータを送信し，一定日時以後にデータの要求があった場合には，そのデータを送信しないようにするものである。これらの制限は，第１のデータ・サーバ１のオペレータが設定するようにしてもよいし，データを付与する付与側携帯電話から与えられるようにしてもよい。
【００３３】
図５は，第１の携帯端末装置11の電気的構成を示すブロック図である。第２の携帯端末装置21も同じ構成をしている。
【００３４】
第１の携帯端末装置21の全体の動作は，ＣＰＵ12によって統括される。
【００３５】
第１の携帯端末装置21には，上述したように第１のデータ・サーバ１および第２の携帯端末装置21と通信するための通信装置13が含まれている。第１のデータ・サーバ１とインターネットを介して通信する場合には，インターネットに接続するための通信装置が第１の携帯端末装置11に設けられ，第２の携帯端末装置21と赤外線通信などの無線通信が行われる場合には無線通信装置が第１の携帯端末装置11に設けられる。表示装置14，計時のためのタイマ15およびキーパッドなどの入力装置16が含まれている。また，第１の端末装置21には，位置を検出するＧＰＳ（Global Positioning System，GPSの受信局）17および動作プログラム，所定のデータを記憶するメモリ18も含まれている。
【００３６】
図６から図９は，データ通信システムの処理手順を示すフローチャートである。図６は第１の携帯端末装置11の処理手順を示すフローチャート，図７および図８は第１のデータ・サーバ１の処理手順を示すフローチャート，図９は第２の携帯端末装置12の処理手順を示すフローチャートである。
【００３７】
この実施例は，第１のデータ・サーバ１にあらかじめ格納されているデータを第２の携帯端末装置21において与えるようにするものである。第１の携帯端末装置11には，第２の携端末装置21に与えられるデータは記憶されていないが，そのデータの第１のデータ・サーバ１における格納場所を示すポインタはメモリ18に記憶されている。ポインタのデータ量は，第２の携帯端末装置21に与えるデータのデータ量よりも少ないことが多いので，第１の携帯端末装置11には多くのポインタのデータを記憶できる。また，第１の携帯端末装置11には，第２の携帯端末装置21に与えるデータは記憶されていないので，第１の携帯端末装置11の盗難，紛失などにより第２の携帯端末装置21に与えるデータの漏洩のリスクを抑えることができる。また，複数のデータのそれぞれに異なるポインタおよびアクセス許可データが付与されることにより，データを与える相手ごとに異なるデータを与えることができる。
【００３８】
第１の携帯端末装置11において，ＧＰＳ17によって位置が読み出される。また，メモリ18から，第２の携帯端末装置21に与えるデータのポインタおよび第１の携帯端末装置11の識別データが読み出される。さらに，ＣＰＵ12によって乱数が生成される（図６ステップ31）。生成された乱数を用いてアクセス許可データが生成される（図６ステップ32）。すると，生成されたアクセス許可データ，ポインタ，識別データ，位置を表すデータが，第１の携帯端末装置11から第１のデータ・サーバ１に送信される（図６ステップ33）。さらに，アクセス許可データおよびポインタが第１の携帯端末装置11から第２の携帯端末装置21に送信される（図６ステップ34）。上述したように，たとえば，第１の携帯端末装置11と第２の携帯端末装置21とが近づけられて，アクセス許可データおよびポインタが第１の携帯端末装置11から第２の携帯端末装置21に送信される。第１の携帯端末装置11からはデータ量の少ないデータが第１のデータ・サーバ１および第２の携帯端末装置21に送信されるので，第１の携帯端末装置11の送信時間は短縮される。
【００３９】
第１の携帯端末装置11から送信されたアクセス許可データ，ポインタ，識別データおよび位置を示すデータが第１のデータ・サーバ１において受信されると（図７ステップ41），受信した識別データが登録リストに格納されているかどうかが確認される（図７ステップ42）。受信した識別データが登録リストに格納されていないと（図７ステップ42でＮＯ），第１の携帯端末装置11はデータ付与側の携帯端末装置としては第１のデータ・サーバ１を利用できない。このためにエラー処理などの所定の処理が行われる。
【００４０】
受信した識別データが登録リストに格納されていると（図７ステップ42でＹＥＳ），第１の携帯端末装置11から送信されたアクセス許可データ，ポインタおよび位置を示すデータがデータ情報テーブルに格納される（図７ステップ43）。また，第１のデータ・サーバ１のタイマ４から日時が読み取られ（図７ステップ44），その読み取られた日時を表すデータがデータ情報テーブルに格納される（図７ステップ45）。上述したように，制限を示すデータがデータ情報テーブルに格納されてもよい。また，その制限を示すデータは，第１の携帯端末装置11から第１のデータ・サーバ１に送信されてデータ情報テーブルに格納するようにしてもよい。
【００４１】
第１の携帯端末装置11から送信されたアクセス許可データおよびポインタが第２の携帯端末装置21において受信されると（図９ステップ61），それらのアクセス許可データおよびポインタが第２の携帯端末装置21のメモリ18に記憶される（図９ステップ62）。
【００４２】
第１の携帯端末装置11のユーザが与えたいデータを第２の携帯端末装置21のユーザが取得したい場合には，第２の携帯端末装置21から第１のデータ・サーバ１にアクセス許可データおよびポインタが送信される（図９ステップ63）。
【００４３】
第２の携帯端末装置21から送信されたアクセス許可データおよびポインタが第１のデータ・サーバ１において受信されると（図８ステップ46），その受信したアクセス許可データおよびポインタがデータ情報テーブルに格納されているかどうかが確認される（図８ステップ47）。それらのアクセス許可データおよびポインタがデータ情報テーブルに格納されていなければ（図８ステップ47でＮＯ），アクセス権限のある装置からのアクセスではないと判断され，エラー処理などの所定の処理が行われる。それらのアクセス許可データおよびポインタがデータ情報テーブルに格納されていると（図８ステップ47でＮＯ），制限の対象となっているかどうかが確認される（図８ステップ48）。
【００４４】
たとえば，時間制限の対象となっている場合には，第２の携帯端末装置21から送信されたアクセス許可データおよびポインタの受信時刻とデータ情報テーブルに格納されている格納日時とが比較され，受信時刻が格納時刻から所定の時間以上経過しているかどうかが判断される。所定の時間以上経過していると制限対象となり（図８ステップ48でＹＥＳ），エラー処理などの所定の処理が行われる。また，第２の携帯端末装置21からはアクセス許可データおよびポインタのほかに，第２の携帯端末装置21の位置を示すデータが第２の携帯端末装置21から第１のデータ・サーバ１に送信され，第２の携帯端末装置21の位置がデータ情報テーブルに格納されている付与側携帯端末装置の位置から所定範囲内の位置にあるかどうかが判断される。位置が制限対象となっている場合に，第２の携帯端末装置21が所定範囲外の位置にある場合には制限対象となり（図８ステップ48でＹＥＳ），エラー処理などの所定の処理が行われる。さらに，ポインタによって特定される格納場所に格納されているデータの送信回数をカウントし，そのカウント値が所定の値となった場合に（第１のデータ・サーバ１にはカウンタが設けられる），データの送信を停止する制限対象としてもよいし，第２の携帯端末装置21の位置を示すデータが得られない（受信できない）場合に，データの送信を停止する制限対象としてもよい。
【００４５】
第２の携帯端末装置21から送信されたアクセス許可データおよびポインタがデータ情報テーブルに格納されており（図８ステップ47でＹＥＳ），かつ制限対象でなければ（図８ステップ48でＮＯ），ポインタによって指定された格納場所に格納されているデータが読み取られる。その読み取られたデータについて，第２の携帯端末装置21においてデータ処理が不要なように所定のデータ処理（データ量縮小処理，第２の携帯端末装置21において表示できるようなフォーマット変換処理，第２の携帯端末装置21の能力に応じたデータ加工，データの画像化，第２の携帯端末装置21の保存の禁止，転送の禁止，操作制限）が行われる（図８ステップ49）。データ処理は必ずしも行われなくともよい。データ処理されたデータが第１のデータ・サーバ１から第２の携帯端末装置21に送信される（図８ステップ50）。
【００４６】
第１のデータ・サーバ１から送信されたデータが第２の携帯端末装置21において受信される（図９ステップ64）。このようにして，第１の携帯端末装置11のユーザが与えたいデータが第２の携帯端末装置21に与えられる。第２の携帯端末装置21に固有の識別データなどは第１のデータ・サーバ１に与えられないので，第２の携帯端末装置21の個人的な情報が漏洩することも無い。また，第１の携帯端末装置11から第２の携帯端末装置21に送信するデータ量は一般的には少ないと考えられるので，その送信時間は短くて済む。
【００４７】
上述の実施例においては，アクセス許可データは，第１の携帯端末装置11において生成しているが，第１のデータ・サーバ１において生成してもよい。その場合，アクセス許可データは第１のデータ・サーバ１から第１の携帯端末装置11に送信される。
【００４８】
図10から図15は，他の実施例を示すものである。
【００４９】
図10は，データ通信システムの概要を示している。この図において，図１に示すものと同一物については同一符号を付している。
【００５０】
図10に示すデータ通信システムは，第１のデータ・サーバ１，第１の携帯端末装置11および第２の携帯端末装置21のほかに第２のデータ・サーバ70が含まれている。第１のデータ・サーバ１は，第１の携帯端末装置11および第２のデータ・サーバ70と通信するが，第２の携帯端末装置21とは通信しない。第２のデータ・サーバ70は，第２の携帯端末装置21と通信するが，第１の携帯端末装置11とは通信しない。第１の携帯端末装置11と第２の携帯端末装置21とは互いに通信する。第２のデータ・サーバ70は，上述した第１のデータ・サーバ１と同じ電気的構成である。
【００５１】
図11は，第２のデータ・サーバ70に格納されている端末リストの一例である。
【００５２】
この端末リストは，第２のデータ・サーバ70にアクセスする権限を有する携帯端末装置の識別データを格納するものである。図２に示す端末リストには第２の携帯端末装置21の識別データが格納されており，第２の携帯端末装置21は第２のデータ・サーバ70にアクセスできる。図11に示す端末リストには第１の携帯端末装置11の識別データは格納されていず，第１の携帯端末装置11は第２のデータ・サーバ21にアクセスできない。もちろん，第１の携帯端末装置11の識別データを図11に示す端末リストに格納し，第１の携帯端末装置11が第２のデータ・サーバ21にアクセスできるようにしてもよい。
【００５３】
図12から図15は，データ通信システムの処理手順を示すフローチャートである。図12は，第２の携帯端末装置21の処理手順を示すフローチャートであり，図９の処理に対応する。図13および図14は，第２のデータ・サーバ70の処理手順を示すフローチャートである。図15は，第１のデータ・サーバ１の処理手順を示すフローチャートであり，図８の処理手順に対応する。これらの処理も上述した処理と同様に，データを第２の携帯端末装置21に与えるものである。
【００５４】
上述したように，第１の携帯端末装置11から第２の携帯端末装置21にアクセス許可データおよびポインタが送信され，それらのアクセス許可データおよびポインタが第２の携帯端末装置21が受信すると（図12ステップ61），その受信したアクセス許可データおよびポインタは第２の携帯端末装置21から第２のデータ・サーバ70に送信される（図12ステップ81）。
【００５５】
さらに，第２の携帯端末装置21において，アクセス許可データおよびポインタを一義的に決定する間接特定データが所定のアルゴリズムにより生成される（図12ステップ82）。たとえば，アクセス許可データおよびポインタに一方向性関数を作用させたハッシュ値を間接特定データとする。間接特定データの生成後はアクセス許可データおよびポインタを消去することが好ましい。アクセス許可データおよびポインタは第２の携帯端末装置21から消去されることにより，第２の携帯端末装置21からアクセス許可データおよびポインタが漏洩しても，その漏洩したアクセス許可データおよびポインタを用いて第三者が成第１のデータ・サーバ１にアクセスしてデータを取得することを未然に防止できる。生成された間接特定データは記憶される（図12ステップ83）。さらに，間接特定データも第２の携帯端末装置21から第２のデータ・サーバ70に送信される（図12ステップ84）。
【００５６】
第２の携帯端末装置21から送信されたアクセス許可データおよびポインタが第２のデータ・サーバ70において受信されると（図13ステップ91），第２の携帯端末装置21において間接特定データを生成するのに用いられた所定のアルゴリズムと同じアルゴリズムで，アクセス許可データおよびポインタから間接特定データが生成される（図13ステップ92）。生成された間接特定データは第２のデータ・サーバ70に記憶される（図13ステップ93）。
【００５７】
つづいて，第２のデータ・サーバ70から第１のデータ・サーバ１にアクセス許可データおよびポインタが送信される（図13ステップ94）。
【００５８】
第１のデータ・サーバ１において，第２のデータ・サーバ70から送信されたアクセス許可データおよびポインタが受信されると（図15ステップ46Ａ），上述したように，その受信したアクセス許可データおよびポインタが第１のデータ・サーバ１のデータ情報テーブルに格納されているかどうかの判断（図15ステップ47）および制限対象となっているかの判断（図15ステップ48）が行われる。アクセス許可データおよびポインタが，第１のデータ・サーバ１のデータ情報テーブルに格納されており（図15ステップ47でＹＥＳ），かつ制限対象でなければ（図15ステップ48でＮＯ），ポインタによって示される格納場所に格納されているデータが読み取られる。読み取られたデータが必要であればデータ処理され（図15ステップ49），データ処理されたデータが第１のデータ・サーバ１から第２のデータ・サーバ70に送信される（図15ステップ50Ａ）。
【００５９】
第１のデータ・サーバ１から送信されたデータは，第２のデータ・サーバ70において受信され（図13ステップ95），受信したデータは第２のデータ・サーバ70において記憶される（図13ステップ96）。
【００６０】
第２の携帯端末装置21のユーザがデータを取得したい場合，第２の携帯端末装置21から第２のデータ・サーバ70に間接特定データが送信される（図12ステップ84）。
【００６１】
第２の携帯端末装置21から送信された間接特定データが第２のデータ・サーバ70において受信されると（図14ステップ97），受信した間接特定データと第２のデータ・サーバ70に記憶されている間接特定データとが一致するかどうかが確認される（図14ステップ98）。間接特定データが不一致であれば（図14ステップ98でＮＯ），正当権限の無い装置からのアクセスなので，エラー処理が行われる。
【００６２】
間接特定データが一致すると（図14ステップ98でＹＥＳ），正当権限のある装置からのアクセスと考えられるので，受信したデータについて第２の携帯端末装置21での処理の負担を軽くするために，データの画像化，第２の携帯端末装置21での保存禁止，転送の禁止，操作制限などのデータ処理が行われる（図14ステップ99）。データ処理が行われたデータが第２のデータ・サーバ70から第２の携帯端末装置21に送信される（図14ステップ100）。
【００６３】
第２のデータ・サーバ70から送信されたデータは，第２の携帯端末装置21において受信される（図12ステップ85）。これにより，第２の携帯端末装置21に，データが与えられることとなる。
【００６４】
上述の実施例においては，第２の携帯端末装置21から第２のデータ・サーバ70に間接特定データが送信される前に，第２のデータ・サーバ70から第１のデータ・サーバ１にアクセス許可データおよびポインタが送信されて，第１のデータ・サーバ１から第２のデータ・サーバ70にデータが送信されている。しかしながら，第２の携帯端末装置21から第２のデータ・サーバ70に間接特定データが送信されたことに応じて，第２のデータ・サーバ70から第１のデータ・サーバ１にアクセス許可データおよびポインタが送信されて，第１のデータ・サーバ１から第２のデータ・サーバ70にデータが送信されるようにしてもよい。また，第２のデータ・サーバ70の処理の負荷が少ないときに，第１のデータ・サーバ１からデータを取得する処理を行うようにしてもよい。
【符号の説明】
【００６５】
１  第１のデータ・サーバ
２  ＣＰＵ（第１の判定手段）
３  通信装置（第２の受信手段，第３の送信手段）
６  メモリ（記憶装置）
11  第１の携帯端末装置
13  通信装置（第１の送信手段）
21  第２の携帯端末装置
【図１】
2011211546.tif 000003
【図２】
2011211546.tif 000004
【図３】
2011211546.tif 000005
【図４】
2011211546.tif 000006
【図５】
2011211546.tif 000007
【図６】
2011211546.tif 000008
【図７】
2011211546.tif 000009
【図８】
2011211546.tif 000010
【図９】
2011211546.tif 000011
【図１０】
2011211546.tif 000012
【図１１】
2011211546.tif 000013
【図１２】
2011211546.tif 000014
【図１３】
2011211546.tif 000015
【図１４】
2011211546.tif 000016
【図１５】
2011211546.tif 000017